(57)【特許請求の範囲】
【請求項１】
液透過性の表面シートと液不透過性の裏面シートと両シート間に介在された液保持性の吸収体とを具備する使い捨ておむつにおいて、
上記吸収体の左右両側縁側における上記表面シート上に、それぞれ、第１立体ガードと該第１立体ガードよりも外方に位置する第２立体ガードとが配されており、
左右の上記第１立体ガードと上記第２立体ガードとは、それぞれ、一面が親水性で他面が疎水性である１枚の不織布を、該一面が肌当接面側に位置するように、吸収体の左右両側縁部上に位置し所定幅を有する接合部を介して上記表面シートに固着して形成され、且つ、それらの自由縁に弾性部材が配されて上方に向けて起立するようになされており、
上記第１立体ガードから上記第２立体ガードに亘る肌当接面側が、前記不織布の前記一面から形成されており、
第１立体ガードにおける前記不織布は、積層されて２層をなしており、該第１立体ガードの非肌当接面側も該不織布の前記一面から形成されている、
ことを特徴とする使い捨ておむつ。
【請求項２】
上記第１立体ガードの高さは、１０〜５０ｍｍであり、上記第２立体ガードは、その高さが上記第１立体ガードの高さよりも高いことを特徴とする請求項１記載の使い捨ておむつ。
【発明の詳細な説明】
【０００１】
【発明の属する技術分野】
本発明は、極めてもれ防止性に優れた使い捨ておむつに関する。
【０００２】
【従来の技術及び発明が解決しようとする課題】
従来より、液透過性の表面シートと液不透過性の裏面シートと両シート間に介在された液保持性の吸収体とを具備する使い捨ておむつは、広く用いられている。
そして、従来の使い捨ておむつにおいては、股下部の側部からのもれを防止するために、上記吸収体の左右両側縁における上記表面シート上に、細帯状のシート材により形成された単一の立体ガードが配されている。
しかし、従来の立体ガードが配された使い捨ておむつでも、未だ漏れ防止性は十分ではなく、より漏れ防止性に優れた使い捨ておむつの開発が要望されているのが現状である。
【０００３】
従って、本発明の目的は、従来の使い捨ておむつよりも更に漏れ防止性が向上された使い捨ておむつを提供することにある。
【０００４】
【課題を解決するための手段】
本発明者らは、上記課題を解決すべく鋭意検討した結果、吸収体の左右両側縁部上に、それぞれ、一面が親水性で他面が疎水性である不織布を配して第１立体ガードと第２立体ガードとを形成してなる使い捨ておむつが、上記目的を達成しうることを知見した。
【０００５】
本発明は、上記知見に基づいてなされたもので、液透過性の表面シートと液不透過性の裏面シートと両シート間に介在された液保持性の吸収体とを具備する使い捨ておむつにおいて、上記吸収体の左右両側縁側における上記表面シート上に、それぞれ、第１立体ガードと該第１立体ガードよりも外方に位置する第２立体ガードとが配されており、左右の上記第１立体ガードと上記第２立体ガードとは、それぞれ、一面が親水性で他面が疎水性である１枚の不織布を、吸収体の左右両側縁部上に位置し所定幅を有する接合部を介して上記表面シートに固着して形成され、且つ、それらの自由縁に弾性部材が配されて上方に向けて起立するようになされており、上記第１立体ガードから上記第２立体ガードに亘る肌当接面側が、前記不織布の前記一面から形成されており、第１立体ガードにおける前記不織布は、積層されて２層をなしており、該第１立体ガードの非肌当接面側も該不織布の前記一面から形成されている、ことを特徴とする使い捨ておむつを提供するものである。
【０００６】
【発明の実施の形態】
以下、本発明について、図面を参照して更に詳述する。
ここで、図１は、本発明の使い捨ておむつの１形態を示す斜視図であり、図２は、図１に示す使い捨ておむつのII-II 断面を模式的に示す拡大断面図であり、図３は、図１に示す使い捨ておむつのIII-III 断面を模式的に示す拡大断面図である。
【０００７】
図１及び２に示す本形態の使い捨ておむつ１は、液透過性の表面シート２と液不透過性の裏面シート３と両シート２，３間に介在された液保持性の吸収体４とを具備する使い捨ておむつである。
上記使い捨ておむつ１において、上記裏面シート３は、溢れた砂時計状であり、また、上記吸収体４は、該裏面シート３よりも小さく、長方形状となされている。上記表面シート２は、該吸収体の表面及び側面を覆うように配されて、使用時に装着者の肌に当接する肌当接面を形成している。
また、使い捨ておむつ１におけるウエスト部５とレッグ部６とには、それぞれ弾性部材５１，６１が配されて、それぞれウエストギャザーとレッグギャザーとを形成している。
また、使い捨ておむつ１の背側部Ｂの左右両側縁部には、それぞれファスニングテープ８が配されている。即ち、本形態の使い捨ておむつは、展開型の使い捨ておむつである
また、上記表面シート２、上記裏面シート３、上記吸収体４、上記弾性部材５１，６１及び上記ファスニングテープ８の形成材料としては、通常の使い捨ておむつに用いられているものを特に制限なく用いることができる。
このような構造は、通常の使い捨ておむつと同じである。
【０００８】
而して、本形態の使い捨ておむつ１においては、図１及び２に示すように、上記吸収体４の左右両側縁側における上記表面シート２上に、それぞれ、左右一対の第１立体ガード７ａと該第１立体ガード７ａよりも外方に位置する左右一対の第２立体ガード７ｂとが配されており、左右一対の上記第１立体ガード７ａと上記第２立体ガード７ｂとは、それぞれ、一面７１ａが親水性で他面７１ｂが疎水性である１枚の不織布７１を、該一面７１ａが肌当接面側に位置するように、吸収体４の左右両側縁部上に位置し所定幅を有する接合部７０を介して上記表面シート２に固着して形成され、且つ、それらの自由縁７４ａ，７４ｂに弾性部材７２，７３が配されて上方に向けて起立するようになされている。
ここで、上記「表面シート上」とは、表面シートの上方の意であり、必ずしも表面シートの直上に位置する必要はない。
【０００９】
以下、更に詳述する。
一対の上記第１立体ガード７ａ及び上記第２立体ガード７ｂは、それぞれ、細帯状で、おむつの長手方向に沿って形成されている。
上記第１立体ガード７ａの高さＴ1 は、好ましくは１０〜５０mm、更に好ましくは１５〜２５mmであり、上記第２立体ガード７ｂは、その高さＴ2 が上記第１立体ガード７ａの高さＴ1 よりも高いのが好ましい。
上記第１立体ガード７ａの高さＴ1 が１０mm未満であると、速度が速い尿や便が、第１立体ガード７ａが１次障壁として機能せずに、第１立体ガードを簡単にこえてしまい、５０mmを超えると、使い捨ておむつが体に密着している場合、第１立体ガード７ａが吸収体の上面を覆ってしまい、吸収体上へ排泄された体液が移行しない場合があるので、上記範囲内とするのが好ましい。
また、上記第２立体ガード７ｂの高さＴ2 が上記第１立体ガード７ａの高さ以下であると、第１立体ガード７ａを超えた便や尿が、該第２立体ガードが第２障壁としての機能をはたすことができずに、モレてしまう場合があるので好ましくない。
【００１０】
上記第２立体ガード７ｂの高さＴ2 は、２５〜７５mmとするのが好ましく、３０〜４０mmとするのが更に好ましい。
また、上記第２立体ガード７ｂは、上記第１立体ガード７ａよりも５〜２５mm高いのが好ましい。
【００１１】
そして、図２に示すように、左右一対の上記第１立体ガード７ａと上記第２立体ガード７ｂとは、それぞれ、おむつのレッグ部６側の側縁から吸収体４の側縁を覆うように配された上記不織布７１を、おむつの上方（表面シートの表面側）に折り返して第１立体ガードの自由縁７４ａを形成し、更にこの第１立体ガードの自由縁７４ａから所定の長さの部位で下方（吸収体側）に折り返して第２立体ガードの自由縁７４ｂを形成することにより構成されている。
そして、上記第１立体ガード７ａと上記第２立体ガード７ｂとの間における上記吸収体４上に位置する２枚の重なり合った不織布７１を、表面シートに固着させて、上記接合部７０が形成されている。
即ち、上記第１立体ガード７ａと上記第２立体ガード７ｂとは、いずれも接合部７０側を基端としており、該第１立体ガード７ａは、折り返されて積層された２層の不織布７１からなり、該第２立体ガード７ｂは、一層の不織布７１から構成されている。
また、上記不織布７１は、吸収体４の側面及び使い捨ておむつのレッグ部６の側縁を覆うように配され、裏面シート３に固着されている。これにより、レッグ部６の弾性部材６１，６１は、裏面シート３と該不織布７１により挟持・固定されている。
また、背側部Ｂ及び腹側部Ａにおいては、図１及び３に示すように、不織布７１における股下部Ｃにおいて第１立体ガード７ａを形成する部分は、折り込まれた形態で全体が表面シート２に固定されており、また、不織布７１における股下部Ｃにおいて第２立体ガード７ｂを形成する部分は、腹側部Ａ及び背側部Ｂの側縁側に位置する不織布７１に固定されている。これにより、腹側部Ａ及び背側部Ｂにおいては、第１及び第２立体ガード７ａ、７ｂは、いずれも形成されていない。即ち、上記第１及び第２立体ガード７ａ、７ｂは、少なくとも股下部Ｃに形成されていれば使い捨ておむつの全体に亘って形成されていなくても良い。
【００１２】
また、第１立体ガードの自由縁７４ａ及び第２立体ガードの自由縁７４ｂには、それぞれ弾性部材７２，７３が配されており、第１立体ガード及び第２立体ガードがそれぞれ起立し、且つそれぞれ立体ギャザーとなされている。
【００１３】
上記接合部７０は、図２に示すように、上記不織布７１を上記表面シート２にヒートシールして固着されて形成されている。
また、上記接合部７０は、直線状であり、その上記所定幅は２〜２０mmとするのが好ましい。
【００１４】
また、上記第１立体ガード７ａと上記第２立体ガード７ｂとを形成する上記不織布７１は、一面７１ａが親水性で他面７１ｂが疎水性の不織布である。
このような撥水性の不織布としては、通常使い捨ておむつなどの吸収性物品に用いられる撥水性のものであればとくに制限無く用いることができるが、具体的には、親水性の不織布と疎水性の不織布とを積層してなる積層構造の不織布、及び疎水性の不織布の一面を親水性処理してなる不織布等を用いることができる。上記不織布７１としては、一面を親水性の材料で形成し他面を疎水性の材料で形成していれば、特に材料及び組成に限定はなく、油剤の変更で処理したり、親水性の面にレーヨンを混綿したりすることができるが、具体的には、下記の▲１▼〜▲３▼に挙げる不織布等が挙げられる。
▲１▼下記親水性不織布と下記疎水性不織布との積層不織布。
親水性不織布；ポリプロピレン（ＰＰ）を芯成分／低融点ＰＰを鞘成分とする芯鞘構造の繊維（２ｄ）を公知の親水油剤で処理してなる親水性繊維１００％からなる坪量１５ｇ／ｍ2 の親水性不織布。
疎水性不織布；ＰＰを芯成分／低融点ＰＰを鞘成分とする芯鞘構造の繊維（２ｄ）を公知の撥水油剤で処理してなる疎水性繊維１００％からなる坪量１５ｇ／ｍ2 の疎水性不織布。
▲２▼下記親水性不織布と下記疎水性不織布との積層不織布。
親水性不織布；ＰＰを芯成分／低融点ＰＰを鞘成分とする芯鞘構造の繊維（２ｄ）を公知の親水油剤で処理してなる親水性繊維４０重量％と、レーヨン（１．５ｄ）６０重量％とからなる坪量１５ｇ／ｍ2 の親水性不織布。
疎水性不織布；ＰＰを芯成分／低融点ＰＰを鞘成分とする芯鞘構造の繊維（２ｄ）を公知の撥水油剤で処理してなる疎水性繊維１００％からなる坪量１５ｇ／ｍ2 の疎水性不織布。
▲３▼下記親水性不織布と下記疎水性不織布との積層不織布。
親水性不織布；ＰＰを芯成分／ポリエチレン（ＰＥ）を鞘成分とする芯鞘構造の繊維（２ｄ）を公知の親水油剤で処理してなる親水性繊維４０重量％と、レーヨン（１．５ｄ）６０重量％とからなる坪量１５ｇ／ｍ2 の親水性不織布。
疎水性不織布；ＰＰを芯成分／ＰＥを鞘成分とする芯鞘構造の繊維（２ｄ）を公知の撥水油剤で処理してなる疎水性繊維１００％からなる坪量１５ｇ／ｍ2 の疎水性不織布。
【００１５】
また、上記不織布の坪量は、１０〜１００ｇ／ｍ2 が好ましく、２０〜５０ｇ／ｍ2 が特に好ましく、また、見かけ厚さ（測定サンプルを２ｃｍ×２ｃｍの２枚の平板間に挟持させ、該平板に１ｇｆ／ｃｍ2 の荷重をかけた時の厚さである。尚、測定は、カトーテック（株）製、「ＫＡＷＡＢＡＴＡ  ＥＶＡＬＵＡＴＩＯＮＳＹＳＴＥＭ  ＫＳ」を用いて行った。）は、１５〜７００μｍが好ましく、特に好ましくは３０〜４００μｍである。
【００１６】
本形態の使い捨ておむつは、通常の展開型の使い捨ておむつと同様に使用することができる。
そして、本形態の使い捨ておむつは、上述の如く、第１立体ガード７ａ及び第２立体ガード７ｂが設けられているので、第１立体ガード７ａを超えても、第２立体ガード７ｂで漏れた液をせき止めることができ、またこれらが、一面が親水性で他面が疎水性の不織布を配して形成されているので、第１立体ガード７ａを超えて漏れ出た体液を第１立体ガードと第２立体ガードとの間では、表面側が親水性である為に、吸着保持しておくことができ、更には繊維間より、徐々に尿を吸収体にまで導くことができるため、さらに漏れ防止性に優れる。
また、不織布７１を上述の如く折り込んで形成した場合には、２回の折り工程で第１立体ガード７ａ及び第２立体ガード７ｂを形成することができ、生産性の点でも有利となる。
【００１７】
本形態の使い捨ておむつは、常法に従って表面シート２と裏面シート３とを吸収４を介在させて張り合わせて、第１及び第２立体ガード７ａ，７ｂ以外の部材を固定させた後、弾性部材７２，７３を介在させて上述の如く不織布７１を折り込んだ後、所定箇所をヒートシールして上記接合部７０を形成して、上記第１立体ガード７ａ及び第２立体ガード７ｂを形成するなどして製造することができる。
【００１８】
尚、本発明の使い捨ておむつは、上述の形態に制限されるものではなく、本発明の趣旨を逸脱しない範囲で種々変更可能である。
例えば、折り込み形状は、上述の形態に制限されず、種々の折り方を採用することができる。
また、上記第１及び第２立体ガードは、いずれも、使い捨ておむつの長手方向全体に亘って形成することができる。
また、上記接合部７０の形状は、湾曲した形状とすることもできる。
【００１９】
【発明の効果】
本発明の使い捨ておむつは、従来の使い捨ておむつよりも更に漏れ防止性が向上されたものである。
【図面の簡単な説明】
【図１】図１は、本発明の使い捨ておむつの１形態を示す斜視図である。
【図２】図２は、図１に示す使い捨ておむつのII-II 断面を模式的に示す拡大断面図である。
【図３】図３は、図１に示す使い捨ておむつのIII-III 断面を模式的に示す拡大断面図である。
【符号の説明】
１    使い捨ておむつ
２    表面シート
３    裏面シート
４    吸収体
５    ウエスト部
５１    弾性部材
６    レッグ部
６１    弾性部材
７ａ    第１立体ガード
７ｂ    第２立体ガード
７０    接合部
７０ａ  孔部
７１  不織布
７１ａ  一面
７１ｂ  他面
７２    弾性部材
７３    弾性部材
７４ａ  自由縁
７４ｂ  自由縁
Ａ    腹側部
Ｂ    背側部
Ｃ    股下部
【図１】
0003969822.tif 000002
【図２】
0003969822.tif 000003
【図３】
0003969822.tif 000004